(57)【要約】【課題】  本発明は、８枚程度のシートを重ね合わせる機構を有する通常のコレータで製造することができ、また、月表示部を表示させる領域を、通常の卓上カレンダーと同様の領域で表示させることができ、しかも使用者が、来月分の月表示部を見たい場合でも簡単に見て確認するを行うことができるという利便性を有する卓上カレンダーを提供する。【解決手段】  矩形状のベースシートと、前記ベースシートの上に重ねられ接着剤で接着された複数枚のカレンダー用紙とからなり、前記ベースシートを縦断面形状が略三角形となるように折り畳み、組み立てて使用する卓上カレンダーであって、前記複数枚のカレンダー用紙が、前記ベースシートを略三角形に折り畳んだ際に形成される傾斜状の両側面上に、前記略三角形の頂点部分を跨る状態で重ね合わされていることを特徴とする。【選択図】        図１
2005193459.tif 000002
【特許請求の範囲】
【請求項１】
矩形状のベースシートと、前記ベースシートの上に重ねられ接着剤で接着された複数枚のカレンダー用紙とからなり、前記ベースシートを縦断面形状が略三角形となるように折り畳み、組み立てて使用する卓上カレンダーであって、
前記複数枚のカレンダー用紙が、前記ベースシートを略三角形に折り畳んだ際に形成される傾斜状の両側面上に、前記略三角形の頂点部分を跨る状態で重ね合わされていることを特徴とする卓上カレンダー。
【請求項２】
前記複数枚のカレンダー用紙には、前記ベースシートを略三角形に折り畳んだ際に形成される一方の傾斜状の側面上に重ねられた部分に、１ヶ月分の月表示部がそれぞれ表示されていることを特徴とする請求項１記載の卓上カレンダー。
【請求項３】
前記接着剤の塗布部が、前記ベースシートを略三角形に折り畳んだ際に形成される頂点部分に沿って設けられ、前記複数枚のカレンダー用紙には、前記接着剤の塗布部に沿って切り取り用ミシンが形成されていることを特徴とする請求項１記載の卓上カレンダー。
【発明の詳細な説明】
【技術分野】
【０００１】
本発明は、矩形状のベースシートを略三角形に折り畳み、組み立てて使用する卓上カレンダーに関する。
【背景技術】
【０００２】
従来、机の上などにおいて使用する卓上カレンダーとして、例えば略三角形などに組み立てることで、カレンダー用紙に表示されている月表示部を使用者が見やすいように傾斜姿勢に立てられるようにした仕様のものが既に知られている。（例えば、特許文献１乃至３、参照）
【特許文献１】実開平７−７９５６号公報
【特許文献２】特開２０００−１２７６５０号公報
【特許文献３】特開２００１−２６０５６６号公報
【０００３】
これらの卓上カレンダーでは、複数枚の傾斜させたカレンダー用紙毎に１ヶ月分の月表示部が表示され、その月が終わると、その月のカレンダー用紙を切り取ったりして、来月の月表示部が表示されたカレンダー用紙が表側から見える状態にする仕様のものが一般的である。
このような仕様の卓上カレンダーでは、１枚のカレンダー用紙に１ヶ月分の月表示部を表示した場合には１２枚のカレンダー用紙が必要となる。
【０００４】
また、安価で、短納期の要求に対応しする卓上カレンダーの製造では、コレータを用いて製造することが好ましいが、通常のコレータでは、８枚程度のシートを重ね合わせる機構のものが多いために、カレンダーの表紙と、月表示部を表示させた１２枚のカレンダー用紙と、ベースシートとの合計が１４枚程度となった場合には、枚数が多すぎて対応できないという問題がある。
また、コレータでの製造に対応させるために、１枚のカレンダー用紙に２ヶ月分の月表示部を並べて表示させた場合には、カレンダーの表紙と、２ヶ月分の月表示部を表示させた６枚のカレンダー用紙と、ベースシートとの合計が８枚程度のカレンダー用紙ですむが、その場合には、月表示部を表示させる領域が半分の領域と狭くなるので、それだけ使用者がカレンダーに表示された文字などを見る際に見えにくく、不便があるという問題がある。
【発明の開示】
【発明が解決しようとする課題】
【０００５】
本発明は、８枚程度のシートを重ね合わせる機構を有する通常のコレータで製造することができ、また、月表示部を表示させる領域を、通常の卓上カレンダーと同様の領域で表示させることができ、しかも使用者が、来月分の月表示部を見たい場合でも簡単に見て確認するを行うことができるという利便性を有する卓上カレンダーを提供する。
【課題を解決するための手段】
【０００６】
本発明の卓上カレンダーは、矩形状のベースシートと、前記ベースシートの上に重ねられ接着剤で接着された複数枚のカレンダー用紙とからなり、前記ベースシートを縦断面形状が略三角形となるように折り畳み、組み立てて使用する卓上カレンダーであって、前記複数枚のカレンダー用紙が、前記ベースシートを略三角形に折り畳んだ際に形成される傾斜状の両側面上に、前記略三角形の頂点部分を跨る状態で重ね合わされていることを特徴とする。
【０００７】
また、本発明の卓上カレンダーは、前記複数枚のカレンダー用紙には、前記ベースシートを略三角形に折り畳んだ際に形成される一方の傾斜状の側面上に重ねられた部分に、１ヶ月分の月表示部がそれぞれ表示されていることを特徴とする。
【０００８】
更に、本発明の卓上カレンダーは、前記接着剤の塗布部が、前記ベースシートを略三角形に折り畳んだ際に形成される頂点部分に沿って設けられ、前記複数枚のカレンダー用紙には、前記接着剤の塗布部に沿って切り取り用ミシンが形成されていることを特徴とする。
【発明の効果】
【０００９】
本発明の卓上カレンダーは、月表示部を有するカレンダー用紙が６枚ですむので、８枚程度のシートを重ね合わせる機構を有する通常のコレータで製造でき便利であるという効果がある。
【００１０】
また、月表示部を表示させる領域も特別に狭くする必要もなく、略三角形に折り畳んだ際に形成される両方の傾斜状の側面上に、それぞれ月表示部を有するカレンダー用紙が設けられるので、略三角形にした卓上カレンダーを手で左右方向に表裏に回すことで簡単に来月の月表示部を見ることができ確認できるという利便性がある。
【００１１】
更に、月日が経過して既に不要となったカレンダー用紙は、切り取り用ミシンから簡単に切り取ることができるという効果がある。
【発明を実施するための最良の形態】
【００１２】
以下、図面を参照しながら本発明の実施形態を詳述する。
図１は、本発明の実施形態に係る卓上カレンダーの斜視図、図２は、本発明の実施形態に係る卓上カレンダーを分解した状態を示す斜視図、図３は、図１のＡ−Ａ線断面図、図４は、本発明の実施形態に係る卓上カレンダーを略三角形に組み立てた状態の側面図、図５は、ベースシート片に形成された円弧状のスリットから、ベースシート片の一部を上方に折り込んだ状態を示す斜視図である。
【００１３】
本発明に係る卓上カレンダー１は、矩形状のベースシート２と、このベースシート２の上に重ねられ所定部分で接着剤により接着された複数枚のカレンダー用紙３とを有している。
複数枚のカレンダー用紙３は、矩形状のベースシート２の長辺方向に対して短いサイズを有している。
また、複数枚のカレンダー用紙３における最上位の上側には、カレンダー表紙４が重ね合わされて所定部分で接着剤により接着されて設けられている。
【００１４】
カレンダー表紙４は、図１に示すようにカレンダー用紙３の半分のサイズを有する用紙を使用してもよいし、またカレンダー表紙４と同様のサイズを有する用紙を用いても良い。
そして、ベースシート２と、複数枚のカレンダー用紙３と、カレンダー表紙４とは、複数枚のカレンダー用紙３を２つ折りした際の略中央付近において接着剤５によりそれぞれ接着されている。
【００１５】
カレンダー表紙４には、この卓上カレンダー１を販売促進用として利用する場合に、企業名や商品ＰＲなどを印刷しておいてもよい。
複数枚のカレンダー用紙３には、１ヶ月単位の暦情報として日にち表示欄を有する月表示部１３が印刷やプリンタ出力などにより表示されている。
この月表示部１３は、少なくとも１枚のカレンダー用紙３に２つ月表示部１３が逆向き方法に並んで表示されている。
つまり、ベースシートを略三角形に折り畳んだ際に形成される一方の傾斜状の側面上に重ねられた部分に、それぞれ１ヶ月分の月表示部が表示されるように設けられている。
【００１６】
また、図１乃至図３に示すように複数枚のカレンダー用紙３及びカレンダー表紙４には、接着剤５の塗布部分に沿って切り取り用ミシン目６がそれぞれに形成され、接着剤５の塗布部分から見終わった月表示部が表示されたカレンダー用紙を切り取れるようにしてある。
更に、複数枚のカレンダー用紙３には、略中央部分に折り用ミシン目７がそれぞれに形成され、ベースシートを略三角形に折り畳んだ際に、複数枚のカレンダー用紙３も同時に折れ曲がれるようにしてある。
【００１７】
また、ベースシート２において、上方側にカレンダー用紙３が重ねられていない部分の一端縁部には、ストライプ状に粘着剤が塗布された粘着剤層８と、更にその粘着剤層８の上に剥離可能な状態で剥離紙９とが設けられ、剥離紙９を剥離することで、ベースシート２を略三角形に折り畳んだ際に、その粘着剤層８によりベースシート２の端部同士を接着できるようにしてある。
【００１８】
更に、ベースシート２には、ベースシート２を略三角形に折り畳む際に使用する少なくとも３本の折り畳み予定線である折り畳み用ミシン目１０ａ，１０ｂ，１０ｃと、ベースシート２を三角形状に折り畳んだ場合に、底部分となるベースシート片２ａを略中央部から折るための折り畳み予定線である折り畳み用ミシン目１１とが形成されている。
折り畳み用ミシン目１１は、ベースシート片２ａの略中央部からベースシート片２ａを山折りするために形成されているミシン目である。
【００１９】
更に、ベースシート２のベースシート片２ａには、ベースシート片２ａに設けられた折り畳み予定線である折り畳み用ミシン目１１と交差して、ベースシート片２ａの少なくとも一部を折り込み可能に形成されたスリットが設けられている。
つまり、ベースシート片２ａに形成されたスリットとして、折り畳み用ミシン目１１を中心として左右対称な円弧状のスリット１２ａ，１２ｂが２つ設けられている。
この２つの円弧状のスリット１２ａ，１２ｂは、ベースシート片２ａの切り込まれた円弧状のスリット１２ａ，１２ｂの内側部分を上方に対して折り込むことで、ベースシート片２ａの一部を立てるために形成されているものである。
この２つの円弧状のスリット１２ａ，１２ｂは、卓上カレンダーのサイズなどに応じて任意に定めればよく、図面に示した円弧状のスリットの形状に限定されるものではない。
【００２０】
次に、本発明の卓上カレンダー１を組み立てて使用する場合について、図４及び図５に基づいて説明する。
まず、ベースシート２に形成されている３本の折り畳み用ミシン目１０ａ，１０ｂ，１０ｃから、ベースシート２を三角形に折り畳むと同時に、ベースシート片２ａに形成されている折り畳み用ミシン目１１からも折り畳む。
そして、剥離紙９を粘着剤層８の上から剥離した後に、ベースシート２に設けられている粘着剤層８の部分をベースシート２の一端縁部に密着させながら、折り畳んだベースシート２を両側から指などで挟んで、内側に圧力を加える。
【００２１】
この際に、ベースシート片２ａの中央部に形成されている折り畳み用ミシン目１１により、ベースシート片２ａが２つに折れ曲がるので、ベースシート２の両端縁部分同士が粘着剤層８を挟んでしっかりと押し付けることができるので、ベースシート２の両端縁部分同士が確実に接着される。
この接着時には、ベースシート片２ａの中央部に形成されている折り畳み用ミシン目１１からベースシート片２ａを２つに折れ曲げた状態で、両側から指で強く押し付けるために、指を離した後でも、ベースシート片２ａに折り癖が残ることになる。
【００２２】
次に、ベースシート片２ａに折り癖を矯正して、ベースシート２を適度な三角形状にするために、折り畳み用ミシン目１１から折り畳まれた状態のベースシート片２ａの部分に指を入れて、３本の折り畳み用ミシン目１０ａ，１０ｂ，１０ｃが形成されている部分が三角形状となるように、ベースシート片２ａを広げると共に、円弧状のスリット１２ａ，１２ｂから部分的にベースシート片２ａの一部を上方に折り上げる。
【００２３】
図５には、ベースシート片２ａにおいて、円弧状のスリット１２ａ，１２ｂから部分的にベースシート片２ａの一部を上方に折り上げた状態が示されているが、ベースシート片２ａの一部を上方に折り上げることで、ベースシート片２ａに形成されている折り畳み用ミシン目１１から一旦強く折り畳んだベースシート片２ａの折り癖を適度な折り状態に矯正させることができるようにしてある。
【００２４】
組み立てられた卓上カレンダーは、図４に示すように、三角形状となったベースシート２の底部に位置するベースシート片２ａが、ベースシート片２ａに形成されている折り畳み用ミシン目１１を中心として、少しだけ盛り上がった状態となるので、組み立てられた卓上カレンダーを机などに置いた際でも、安定性が良く、ベースシート片２ａが外側に出っ張って卓上カレンダーが揺れるなどすることがない。
【００２５】
また、ベースシートが略三角形状に組み立てられた卓上カレンダー１は、複数枚のカレンダー用紙３が、ベースシート２を略三角形に折り畳んだ際に形成される傾斜状の両側面上に、その略三角形の頂点部分を跨る状態で重ね合わされるので、使用者は、経過した月が表示されたカレンダー用紙３を必要に応じて切り取り用ミシン目６から切り取ったり、組み立てられた卓上カレンダー１の表裏を回転させるなどして使用する。
【００２６】
重ね合わされた複数枚のカレンダー用紙３は、重ね合わされた順番に１月分から６月分と、７月分から１２月分の月表示部を順次表示させても良いし、１枚のカレンダー用紙３毎に例えば１月分と２月分の月表示部を並べて表示するようにしてもよいが、１枚のカレンダー用紙３毎に順番に月表示部を設けた場合には、組み立てられた卓上カレンダー１の表裏を回転させることで、今月分と来月分の月表示部を簡単の見ることできるので、より好ましい。
【図面の簡単な説明】
【００２７】
【図１】本発明の実施形態に係る卓上カレンダーの斜視図である。
【図２】本発明の実施形態に係る卓上カレンダーを分解した状態を示す斜視図である。
【図３】図１のＡ−Ａ線断面図である。
【図４】本発明の実施形態に係る卓上カレンダーを略三角形に組み立てた状態の側面図である。
【図５】ベースシート片に形成された円弧状のスリットから、ベースシート片の一部を上方に折り込んだ状態を示す斜視図である。
【符号の説明】
【００２８】
１  卓上カレンダー
２  ベースシート
２ａ  ベースシート片
３  カレンダー用紙
４  カレンダー表紙
５  接着剤
６  切り取り用ミシン目
７  切り用ミシン目
８  粘着剤層
９  剥離紙
１０ａ，１０ｂ，１０ｃ，１１  折り畳み用ミシン目
１２ａ，１２ｂ  スリット
１３  月表示部
【図１】
2005193459.tif 000003
【図２】
2005193459.tif 000004
【図３】
2005193459.tif 000005
【図４】
2005193459.tif 000006
【図５】
2005193459.tif 000007